(57)【要約】【課題】１つの駆動源で複数の現像剤貯留部からの現像剤の補給を切り替えて実行するときに、何れかの現像剤貯留部に偏ることなく、平均的な補給を行う。【解決手段】補給動作パターン実行履歴記憶部１２８では、駆動制御対象選択部１１０によるモータ１０２の駆動制御における補給動作パターン実行履歴を随時記憶する（図６の符号Ｂ参照）。補給開始色決定部１３０には、補給動作パターン実行履歴記憶部１２８から補給停止時期情報が入力され、補給開始色決定部１３０では、この補給停止情報に基づいて、ジョブが終了したときに補給していた現像剤の色を判別し、次のジョブの開始時の色（補給開始色）を決定する。補給動作パターン計画構築部１２６では、構築される補給動作パターンに対して、補給開始色の情報が反映される（図６の符号Ｃ参照）。【選択図】図４
2013228614.tif 000002
【特許請求の範囲】
【請求項１】
現像剤が貯留された複数の現像剤貯留部と、
一つの駆動源の駆動力を、複数の現像剤貯留部の補給動作部に相互に切り替えて伝達する駆動力伝達手段と、
複数の現像剤貯留部からの補給量情報を蓄積する蓄積手段と、
予め定められた補給可能期間に、前記蓄積手段に蓄積された補給量情報に基づいて、複数の補給動作部を順番に選択して現像剤を現像装置へ補給する補給制御手段と、
前記補給制御手段による現像剤補給に関する補給制御履歴情報を記憶する記憶手段と、
次回の補給可能期間の開始時に、記憶手段に記憶されている補給制御履歴情報に基づいて、駆動力を伝達する補給動作部を選択する選択手段と、
を有する現像剤補給装置。
【請求項２】
前記記憶手段が、少なくとも、１回の連続した補給可能期間の終了時における、前記駆動力伝達手段によって駆動力が伝達されていた前記補給動作部の識別情報を記憶する請求項１記載の現像剤補給装置。
【請求項３】
前記複数の現像剤貯留部に貯留された現像剤が、現像剤の色によって分類された複数色の現像剤であり、
前記選択手段が、前記記憶手段に記憶された識別情報に基づいて、補給再開時の開始色を決定する請求項２記載の現像剤補給装置。
【請求項４】
前記記憶手段に記憶された補給制御履歴情報から、前記現像剤の補給が開始されてからの連続補給時間情報を取得し、当該連続補給時間情報に基づいて補給を制限する請求項１〜請求項３の何れか１項記載の現像剤補給装置。
【請求項５】
前記選択手段による駆動力伝達先の補給動作部に対応する前記蓄積手段に蓄積された補給量情報に基づき、予め定められた量以下の場合には、前記選択手段による選択を制限する請求項１〜請求項４の何れか１項記載の現像剤補給装置。
【請求項６】
前記請求項１〜請求項５の何れか１項記載の現像剤補給装置と、
画像情報に基づいて複数の基準色に分類された静電潜像を形成し、複数の基準色の現像剤によってそれぞれの前記静電潜像を現像し、直接或いは中間転写体を介して記憶媒体に現像された画像を重ねて転写することでフルカラー画像を形成する画像形成部と、
前記画像形成部による画像形成処理が、予め定めた処理量に達した場合に、濃度検出用の基準色画像を形成し、当該基準色画像から得られた濃度情報に基づいて、前記蓄積手段に加算するための現像剤の補給量情報を取得する制御を実行する濃度調整制御手段と、
を有する画像処理装置。
【請求項７】
コンピュータに、
予め定められた画像形成処理量毎に、現像剤補給量を得るための各色の濃度調整制御を実行し、
前記濃度調整制御によって得られる各色の現像剤補給量情報を蓄積し、
前記蓄積された各色の現像剤補給量に基づいて、補給が必要と判断された場合に、予め定められた補給可能期間に、複数色の現像剤貯留部の補給動作部に対して、１つの駆動源の駆動力を相互に切り替えて伝達することで、複数色の現像剤を交互にそれぞれの現像装置へ補給し、
少なくとも、前記補給可能期間終了時に補給していた現像剤の色に関する情報を記憶しておき、
次回の補給可能期間の開始時に、前記色に関する情報に基づいて、駆動力を伝達する補給動作部を選択する、
ことを実行させる現像剤補給制御プログラム。
【発明の詳細な説明】
【技術分野】
【０００１】
本発明は、現像剤補給装置、画像処理装置、現像剤補給制御プログラムに関する。
【背景技術】
【０００２】
特許文献１には、１つの駆動源と複数のクラッチからトナー補給手段を制御する装置であり、クラッチは、トナー収容器にそれぞれ設けられ、トナー収容器から現像器へトナーを供給する際には、モータから受け取った駆動力を各々に伝達するか、又は伝達しないかを制御することによって、トナーを供給するか否かが切り替えられることが記載されている。
【０００３】
特許文献２には、１つの駆動源で２つの現像剤補給装置からの補給現像剤の補給を駆動切換により行う構成で、駆動切換タイミングを各種情報に応じて変更可能に構成し、単位時間当たりの補給量を、画像濃度、記録材の長さ、画像形成速度に応じて変更することが記載されている。
【０００４】
特許文献３には、１色当たりの１ページ毎の補給可能時間が最大トナー消費量に満たない場合、トナー不足分計数手段により不足分を計数し、用紙に記録する以外の画像形成時に、計数された不足分のトナーを補給することが記載されている。
【先行技術文献】
【特許文献】
【０００５】
【特許文献１】特開２００９-１７５２８０号公報
【特許文献２】特開２００６-２０１３１４号公報
【特許文献３】特開２００６-２２０９９９号公報
【発明の概要】
【発明が解決しようとする課題】
【０００６】
本発明は、１つの駆動源で複数の現像剤貯留部からの現像剤の補給を切り替えて実行するときに、何れかの現像剤貯留部に偏ることなく、平均的な補給を行うことができる現像剤補給装置、画像処理装置、現像剤補給制御プログラムを得ることが目的である。
【課題を解決するための手段】
【０００７】
請求項１に記載の発明は、現像剤が貯留された複数の現像剤貯留部と、一つの駆動源の駆動力を、複数の現像剤貯留部の補給動作部に相互に切り替えて伝達する駆動力伝達手段と、複数の現像剤貯留部からの補給量情報を蓄積する蓄積手段と、予め定められた補給可能期間に、前記蓄積手段に蓄積された補給量情報に基づいて、複数の補給動作部を順番に選択して現像剤を現像装置へ補給する補給制御手段と、前記補給制御手段による現像剤補給に関する補給制御履歴情報を記憶する記憶手段と、次回の補給可能期間の開始時に、記憶手段に記憶されている補給制御履歴情報に基づいて、駆動力を伝達する補給動作部を選択する選択手段と、を有している。
【０００８】
請求項２に記載の発明は、前記請求項１に記載の発明において、前記記憶手段が、少なくとも、１回の連続した補給可能期間の終了時における、前記駆動力伝達手段によって駆動力が伝達されていた前記補給動作部の識別情報を記憶する。
【０００９】
請求項３に記載の発明は、前記請求項２に記載の発明において、前記複数の現像剤貯留部に貯留された現像剤が、現像剤の色によって分類された複数色の現像剤であり、前記選択手段が、前記記憶手段に記憶された識別情報に基づいて、補給再開時の開始色を決定する。
【００１０】
請求項４に記載の発明は、前記請求項１乃至請求項３の何れか１項記載の発明において、前記記憶手段に記憶された補給制御履歴情報から、前記現像剤の補給が開始されてからの連続補給時間情報を取得し、当該連続補給時間情報に基づいて補給を制限する。
【００１１】
請求項５に記載の発明は、前記請求項１乃至請求項４の何れか１項記載の発明において、前記選択手段による駆動力伝達先の補給動作部に対応する前記蓄積手段に蓄積された補給量情報に基づき、予め定められた量以下の場合には、前記選択手段による選択を制限する。
【００１２】
請求項６に記載の発明は、前記請求項１〜請求項５の何れか１項記載の現像剤補給装置と、画像情報に基づいて複数の基準色に分類された静電潜像を形成し、複数の基準色の現像剤によってそれぞれの前記静電潜像を現像し、直接或いは中間転写体を介して記憶媒体に現像された画像を重ねて転写することでフルカラー画像を形成する画像形成部と、前記画像形成部による画像形成処理が、予め定めた処理量に達した場合に、濃度検出用の基準色画像を形成し、当該基準色画像から得られた濃度情報に基づいて、前記蓄積手段に加算するための現像剤の補給量情報を取得する制御を実行する濃度調整制御手段と、を有する画像処理装置である。
【００１３】
請求項７に記載の発明は、コンピュータに、予め定められた画像形成処理量毎に、現像剤補給量を得るための各色の濃度調整制御を実行し、前記濃度調整制御によって得られる各色の現像剤補給量情報を蓄積し、前記蓄積された各色の現像剤補給量に基づいて、補給が必要と判断された場合に、予め定められた補給可能期間に、複数色の現像剤貯留部の補給動作部に対して、一つの駆動源の駆動力を相互に切り替えて伝達することで、複数色の現像剤を交互にそれぞれの現像装置へ補給し、少なくとも、前記補給可能期間終了時に補給していた現像剤の色に関する情報を記憶しておき、次回の補給可能期間の開始時に、前記色に関する情報に基づいて、駆動力を伝達する補給動作部を選択する、ことを実行させる現像剤補給制御プログラムである。
【発明の効果】
【００１４】
請求項１記載の発明によれば、１つの駆動源で複数の現像剤貯留部からの現像剤の補給を切り替えて実行するときに、何れかの現像剤貯留部に偏ることなく、平均的な補給を行うことができる。
【００１５】
請求項２記載の発明によれば、補給制御履歴情報として補給可能期間の終了時に動作していた補給動作部の識別情報を記憶することができる。
【００１６】
請求項３記載の発明によれば、識別情報に基づいて、補給再開時の開始色を決定することができる。
【００１７】
請求項４記載の発明によれば、現像剤の連続補給を制限することができる。
【００１８】
請求項５に記載の発明によれば、蓄積された補給量情報に基づいて、補給を制限することができる。
【００１９】
請求項６、請求項７に記載の発明によれば、１つの駆動源で複数の現像剤貯留部からの現像剤の補給を切り替えて実行するときに、何れかの現像剤貯留部に偏ることなく、平均的な補給を行うことができる。
【図面の簡単な説明】
【００２０】
【図１】本実施の形態に係る画像形成装置の概略構成図である。
【図２】画像形成処理制御部のハード構成を示すブロック図である。
【図３】本実施の形態に係る画像形成装置の外観を示す斜視図である。
【図４】本実施の形態に係る画像形成制御部における濃度調整、並びに、現像剤補給に特化した制御を機能別に示した制御ブロック図である。
【図５】（Ａ）は本実施の形態に係る基本的な現像剤補給制御タイミングチャート、（Ｂ）は比較例に係る現像剤補給制御タイミングチャートである。
【図６】本実施の形態に係る詳細な現像剤補給制御タイミングチャートである。
【図７】本実施の形態に係る現像剤補給制御ルーチンを示すフローチャートである。
【図８】本実施の形態に係る現像剤補給動作中監視制御ルーチンを示すフローチャートである。
【発明を実施するための形態】
【００２１】
図１は、本実施形態に係る画像形成装置１０の構成を示す概略図である。なお、以下のＸ方向・−Ｘ方向・Ｙ方向（上方）・−Ｙ方向（下方）・Ｚ方向・−Ｚ方向は、図中に示す矢印方向である。また、図中の「○」の中に「×」が記載されたものは、紙面の手前から奥へ向かう矢印を意味し、図中の「○」の中に「・」が記載されたものは、紙面の奥から手前へ向かう矢印を意味する。
【００２２】
また、本実施の形態では、画像形成装置１０を示しているが、当該画像形成装置１０に画像読取装置や、ファクシミリ通信装置等を構造的に一体化した複合機、すなわち画像処理であってもよい。
【００２３】
図１に示すように、画像形成装置１０は、各構成部品が設けられる画像形成装置本体１１を備えている。画像形成装置本体１１の内部には、用紙等の記録媒体Ｐが収容される収容部１２と、記録媒体Ｐに画像を形成する画像形成部（ＩＯＴ）１４と、収容部１２から画像形成部１４へ記録媒体Ｐを搬送する搬送部１６と、画像形成装置１０の各部の動作を制御する画像形成制御部２０（ＭＣＵ）と、が設けられている。また、画像形成装置本体１１の上部には、画像形成部１４によって画像が形成された記録媒体Ｐが排出される排出部１８が設けられている。
【００２４】
図２に示される如く、画像形成制御部２０は、マイクロコンピュータ２０Ａを含んでおり、マイクロコンピュータ２０Ａは、ＣＰＵ２０Ｂ、ＲＡＭ２０Ｃ、ＲＯＭ２０Ｄ、入出力部２０Ｅ及びこれらを接続するデータバスやコントロールバス等のバス２０Ｆを備えている。入出力装置２０Ｅには、濃度センサ１０６が接続され、基準画像（パッチ）の濃度を検出する（詳細後述）。また、入出力装置２０Ｅには、外部から画像情報を取得する通信Ｉ／Ｆ部２０Ｇ、前記搬送部１６や後述する画像形成ユニット２２Ｙ、２２Ｍ、２２Ｃ、２２Ｋでの動作等を個々に制御するための制御系と接続する複数のＩ／Ｆ２０Ｈが接続されている。すなわち、画像形成制御部２０は、画像形成に関する様々な制御を一環して管理する役目を有する。
【００２５】
画像形成部１４は、イエロー（Ｙ）、マゼンタ（Ｍ）、シアン（Ｃ）、ブラック（Ｋ）の各色のトナー画像を形成する画像形成ユニット２２Ｙ、２２Ｍ、２２Ｃ、２２Ｋ（以下、総称する場合、「画像形成ユニット２２Ｙ〜２２Ｋ」とする。）と、画像形成ユニット２２Ｙ〜２２Ｋで形成されたトナー画像が転写される中間転写ベルト２４と、画像形成ユニット２２Ｙ〜２２Ｋで形成されたトナー画像を中間転写ベルト２４に転写する第１転写ロール２６と、第１転写ロール２６によって中間転写ベルト２４に転写されたトナー画像を中間転写ベルト２４から記録媒体Ｐへ転写する第２転写ロール２８と、を備えている。なお、画像形成部１４は、上記の構成に限られず、他の構成であっても良く、記録媒体Ｐに画像を形成するものであればよい。
【００２６】
画像形成ユニット２２Ｙ〜２２Ｋは、水平方向（図１のＺ方向・−Ｚ方向）に対して傾斜した状態で、画像形成装置本体１１に並んで配置されている。また、画像形成ユニット２２Ｙ〜２２Ｋは、一方向（例えば、図１における反時計回り方向）へ回転する感光体３２をそれぞれ有している。なお、画像形成ユニット２２Ｙ〜２２Ｋは、同様に構成されているので、図１において、前記感光体３２を含め、画像形成ユニット２２Ｋのみに各部の符号を付し、画像形成ユニット２２Ｙ、２２Ｍ、２２Ｃでは省略する。
【００２７】
各感光体３２の周囲には、感光体３２の回転方向上流側から順に、感光体３２を帯電させる帯電装置の一例としての帯電ロール２３と、帯電ロール２３によって帯電した感光体３２を後述の露光装置３６が露光することで感光体３２に形成された静電潜像を現像してトナー画像を形成する現像装置３８と、が設けられている。
【００２８】
画像形成ユニット２２Ｙ〜２２Ｋの図１における右斜め下方には、帯電ロール２３によって帯電した感光体３２を露光して感光体３２に静電潜像を形成する露光装置３６が設けられている。露光装置３６は、画像形成制御部２０から送られた画像信号に基づき静電潜像を形成するようになっている。画像形成制御部２０から送られる画像信号としては、例えば、画像形成制御部２０が外部装置から取得した画像信号がある。
【００２９】
各現像装置３８は、トナーを含む現像剤が収容される筐体３８Ａと、筐体３８Ａに支持され感光体３２へ現像剤を供給する現像剤供給体３８Ｂと、現像剤供給体３８Ｂへ付与される現像剤を攪拌しながら搬送する搬送部材３８Ｃと、を備えている。
【００３０】
中間転写ベルト２４は、環状に形成されると共に、画像形成ユニット２２Ｙ〜２２Ｋの上側（図１のＹ方向側）に配置されている。中間転写ベルト２４の内周側には、中間転写ベルト２４が巻き掛けられる巻掛ロール４２・４３・４４・４５が設けられている。中間転写ベルト２４は、巻掛ロール４２・４３・４４・４５のいずれかが回転駆動することによって、感光体３２と接触しながら一方向（例えば、図１における時計回り方向）へ周回移動（回転）するようになっている。なお、巻掛ロール４２は、前述した第２転写ロール２８に対向する対向ロールとされている。
【００３１】
各第１転写ロール２６は、中間転写ベルト２４を挟んで各感光体３２に対向している。各第１転写ロール２６と各感光体３２との間が、各感光体３２に形成されたトナー画像が中間転写ベルト２４に転写される第１転写位置Ｔ１とされている。
【００３２】
第２転写ロール２８は、中間転写ベルト２４を挟んで巻掛ロール４２に対向している。第２転写ロール２８と巻掛ロール４２との間が、中間転写ベルト２４に転写されたトナー画像が記録媒体Ｐに転写される第２転写位置Ｔ２とされている。
【００３３】
搬送部１６は、収容部１２に収容された記録媒体Ｐを送り出す送出ロール４６と、送出ロール４６に送り出された記録媒体Ｐが搬送される搬送路４８と、搬送路４８に沿って配置され送出ロール４６によって送り出された記録媒体Ｐを第２転写位置Ｔ２へ搬送する複数の搬送ロール５０と、が設けられている。
【００３４】
第２転写位置Ｔ２より搬送方向下流側には、画像形成部１４によって記録媒体Ｐに形成されたトナー画像を記録媒体Ｐに定着させる定着装置４０が設けられている。この定着装置４０より搬送方向下流側には、トナー画像が定着された記録媒体Ｐを排出部１８へ排出する排出ロール５２が設けられている。
【００３５】
また、片面にトナー画像が定着された記録媒体Ｐを反転させて、再び第２転写位置Ｔ２へ送り戻すための反転搬送路３７が、搬送路４８に対する中間転写ベルト２４とは反対側（図１のＺ方向側）に設けられている。記録媒体Ｐの両面に画像を形成する際には、片面にトナー画像が定着された記録媒体Ｐが、排出ロール５２によりスイッチバックされて反転搬送路３７に導かれて第２転写位置Ｔ２へ送り戻されるようになっている。
【００３６】
さらに、画像形成装置本体１１の右側（図１の−Ｚ方向側部分）には、各色の現像剤を収容する複数の現像剤収容容器６０（トナーカートリッジ）と、各現像剤収容容器６０から排出された現像剤をそれぞれが各現像装置３８へ搬送する複数の搬送管５８と、画像形成装置本体１１に対して開閉される開閉部５６と、設けられている。現像剤収容容器６０は、上下方向（図１のＹ方向）に沿って並んで配置されている。
【００３７】
具体的には、図３に示すように、各現像剤収容容器６０は、画像形成装置本体１１に対して開閉部５６が開放された状態において、画像形成装置本体１１に設けられた装着部８０に対して、予め定められた取外し方向（図３の−Ｚ方向）に取り外されると共に、予め定められた装着方向（図３のＺ方向）に装着されるようになっている。
【００３８】
ここで、現像剤収容容器６０は、各色毎に設けられているため、Ｙ色、Ｍ色、Ｃ色、Ｋ色の合計４個の現像剤収容容器６０が積み重ねられるように設けられている。また、現像装置３８へ現像剤を搬送する搬送管５８も、各色毎に独立して設けられ、現像剤収容容器６０から、それぞれの色に対応する現像装置３８へ搬送する。
【００３９】
これに対して、本実施の形態では、４個の現像剤収容容器６０と４本の搬送管５８に設けられた搬送機構部１００Ｋ、１００Ｃ、１００Ｙ、１００Ｍ（図４参照、以下、総称する場合「搬送機構１００」という場合がある。）を、当該搬送機構部１００よりも少ない数（例えば２個）の駆動源によって駆動している。搬送機構部１００としては、例えば、スクリューコンベア等が代表的であるが、これに限定されるものではなく、羽根、ヘラ等の板材を回転させて現像剤を送り出す等、他の搬送機構でもよい。或いは、複数種類の搬送機構を組み合わせてもよい。
【００４０】
なお、駆動源としてはモータが一般的であり、本実施の形態では、図４に示すように、第１のモータ１０２Ａ、第２のモータ１０２Ｂ（以下、総称する場合、「モータ１０２」という場合がある）が適用されている。なお、駆動源としてはモータ１０２に限定されるものではなく、励磁力、空気圧、油圧等を用いて回転運動、振り子運動、往復運動等、繰り返し動作する構造であればよい。
【００４１】
ここで、モータ１０２の回転駆動により、前記搬送機構部１００を駆動させることで、現像剤収容容器６０の現像剤を排出し、かつ搬送管５８内を流動させて、各色に対応する現像装置３８へ供給（補給）している。
【００４２】
各モータ１００は、それぞれ正転及び逆転することが可能となっている。また、モータ１００の駆動力を伝達する伝達系の下流側には、伝達先を選択するクラッチ等に代表される駆動力切替機構部１０４（図４参照）が設けられており、モータ１０２が正転するときと逆転するときとで、当該駆動力切替機構部１０４よりも下流側に設けたそれぞれ２系統の搬送機構部１００に選択的に連結し、駆動力を伝達するようになっている。
【００４３】
なお、この駆動力切替機構部１０４の選択に関しては、特定の機構に限定されるものではない。以下にその具体例を示す。
【００４４】
（具体例１）  モータ１０２の回転軸にそれぞれワンウェイクラッチ機構を内蔵する２個の歯車を同軸上に取り付けることが考えられる。すなわち、一方の歯車はモータ１０２が正転するときは噛み合って一体となって回転し逆転するときは空回りして回転しない。他方の歯車はモータ１０２が逆転するときは噛み合って一体となって回転し正転するときは空回りして回転しない。これにより、モータ１０２の回転方向で歯車の選択が可能である。
【００４５】
（具体例２）  ソレノイド等で振り子運動するレバーの先端部に、２系統の搬送機構部１００の何れかと連結するモータ１０２を取り付ける。ソレノイドは、モータ１０２の回転方向を定める電気信号と共有することで、レバーをモータ１０２の回転方向で振り子運動させることが可能となる。
【００４６】
（具体例３）  モータ１０２の回転開始時に発生する慣性力を利用して、２系統の搬送機構部１００の何れかと連結する。
【００４７】
（具体例４）  太陽ギヤ、遊星ギヤ、リングギヤ等を用いたプラネタリギヤ機構を用いる。
【００４８】
なお、本実施の形態では、２個のモータ１００の内、第１のモータ１０２Ａでは、正転によって現像剤収容容器６０とその搬送管５８の搬送機構部１００Ｋを駆動させてＫ色の現像剤を搬送し、逆転によって現像剤収容容器６０とその搬送管５８の搬送機構部１００Ｃを駆動させてＣ色の現像剤を搬送する。また、２個のモータの内、第２のモータ１０２Ｂでは、正転によって現像剤収容容器６０とその搬送管５８の搬送機構部１００Ｙを駆動させてＹ色の現像剤を搬送し、逆転によって現像剤収容容器６０とその搬送管５８の搬送機構部１００Ｍを駆動させてＭ色の現像剤を搬送する。
【００４９】
（現像剤の補給）
現像剤の補給は、濃度調整制御の結果に基づき実行されるものである。前記中間転写ベルト２４（図１参照）に基準色画像（所謂、「パッチ画像」という場合がある）を形成し、当該パッチ画像の濃度を濃度センサ１０６（図１、図４参照）で検出して、適正濃度か否か、不適正である場合の濃度調整量を演算し、現像剤補給量に換算して蓄積する制御である。
【００５０】
この濃度調整制御は、基本的に、予め定めた第１の処理量（Ａ４換算で３５枚程度の処理枚数）を超えた後のジョブ終了時に行う濃度調整制御によって得られた現像剤補給量を蓄積し、当該蓄積した現在補給量分を１枚の記録媒体の処理時間（例えば、Ａ４横搬送で処理に係る時間）に分割して補給するようになっている。
【００５１】
なお、前記濃度調整制御は、前記第１の処理量よりも多い予め定めた第２の処理量（Ａ４換算で１６０枚程度の処理枚数）を超えた場合は、ジョブ中であっても処理を一時中断して、強制的に実行する場合がある。
【００５２】
濃度調整制御によって現像剤の補給が必要となった場合、その補給は一気に実行するのではなく、例えば、次の濃度調整制御時期までの画像処理中に分割して実行するようになっている。すなわち、現像剤の必要な補給量を一定時間（例えば、４００ｍｓｅｃ）毎に補給可能な補給量に単位化し（単位補給量）、ジョブ中の１枚の記録用紙（例えば、Ａ４横搬送）へ画像形成を実行しているときに、単位毎の現像剤の補給を実行し、ジョブが終了すると、現像剤の補給を一旦停止して次のジョブの開始時に再開する。
【００５３】
ところが、画像形成処理速度が増加するにつれて、現像剤の補給時間が減少することになる。このため、現像剤を補給するジョブ数が増えることになるが、ジョブ間において、現像剤の補給の一旦停止があると、各モータによる駆動がリセット・スタートするため、複数色（２色）の内、常に１番に設定した色からの再開となる。この再開が増えれば増えるほど、一方の色（１番に設定した色）の補給に偏る可能性がある（図５（Ｂ）の比較例参照）。
【００５４】
そこで、本実施の形態では、現像剤補給中においてジョブが終了したときに実行履歴情報を記憶しておき、次のジョブの実行による現像剤補給の再開時には、記憶した実行履歴情報に基づいて、現像剤の補給を再開するようにした。
【００５５】
なお、本実施の形態における実行履歴情報は、予め定めた補給動作パターンにおいて、ジョブ終了時に補給していた現像剤の色の情報である。例えば、第１のモータ１０２Ａにおいて、Ｋ色とＣ色を、３単位ずつ交互に補給する基本的な動作パターン（図５（Ａ）の矢印Ａの動作パターンの繰り返し）を設定し、どの単位まで補給したかを記憶しておくようにしている。
【００５６】
このため、本実施の形態では、図５（Ａ）に示される如く、ジョブが終了したときの色において、３単位の補給が終了していない場合は、残りの単位を補給することから補給が再開されることになる。
【００５７】
図４は、図１に示す画像形成制御部２０における濃度調整、並びに、現像剤補給に特化した制御を機能別に示した制御ブロック図である。なお、この図４の各ブロックは、機能別に分類したものであり、ハード構成を特定するものではない。
【００５８】
まず、前述したように、構造的に第１のモータ１０２Ａ、第２のモータ１０２Ｂの出力軸は、それぞれ駆動力切替機構部１０４に連結されている。第１のモータ１０２Ａの駆動力切替機構部１０４は、前記第１のモータ１０２Ａの駆動力を、Ｋ色用の搬送機構部１００ＫとＣ色用の搬送機構部１００Ｃの何れかに選択的に切り替えられて伝達する役目を有する。
【００５９】
また、第２のモータ１０２Ｂの駆動力切替機構部１０４は、前記第２のモータ１０２Ｂの駆動力を、Ｙ色用の搬送機構部１００ＹとＭ色用の搬送機構部１００Ｍの何れかに選択的に切り替えられて伝達する役目を有する。
【００６０】
第１のモータ１０２Ａ、第２のモータ１０２Ｂには、それぞれ駆動ドライバ１０８Ａ、１０８Ｂが接続されており、この駆動ドライバ１０８Ａ、１０８Ｂの駆動力によって、正転駆動又は逆転駆動するようになっている。
【００６１】
本実施の形態では、この正転駆動又は逆転駆動に連動して、前記駆動力切替機構部１０４が切替動作を実行する（本実施の形態では、構造的に切替動作にかかる時間は、２００ｍｓｅｃ程度）。
【００６２】
駆動ドライバ１０４Ａ、１０４Ｂは、画像形成制御部２０の駆動制御対象選択部１１０に接続されている。この駆動制御対象選択部１１０から駆動ドライバ１０８Ａ、１０８Ｂには、駆動指示および回転方向に関する情報が送出されるようになっている。
【００６３】
また、画像形成制御部２０には、画像形成処理状況監視部１１２が設けられている。画像形成処理状況監視部１１２では、画像形成部１４における稼働状況を監視し、処理実行中か否かの情報や累積処理枚数に関する情報が入力されるようになっている。
【００６４】
画像形成処理状況監視部１１２は、濃度調整制御部１１４及び補給実行可否判定部１１６が接続されている。
【００６５】
濃度調整制御部１１４では、前記画像形成処理状況監視部１１２から濃度調整指示があると、基準色画像（パッチ）形成指示部１１８を介して、画像形成部１４に基準色画像（パッチ）を形成することを指示する。
【００６６】
画像形成部１４では、上記指示を受けて中間転写ベルト２４（図１参照）の予め定めた領域に基準色画像（パッチ）を形成する。この中間転写ベルト２４における当該予め定めた領域に対面する特定の位置には、濃度センサ１０６が取り付けられている。
【００６７】
濃度センサ１０６は、中間転写ベルト２４が駆動中に基準色画像（パッチ）と対向するようになっており、当該基準色画像（パッチ）濃度を検出し、基準色画像（パッチ）濃度演算部１２０へ送出する。なお、この基準色画像（パッチ）濃度演算部１２０には、前記基準色画像（パッチ）形成指示部１１８から検出時期情報を受けており、基準色（パッチ）形成時期と濃度センサ１０６による検出時期との間で同期がとられている。このため、連続して複数の色の基準画像（パッチ）を形成しても、中間転写ベルト２４の搬送速度に基づいて、濃度センサ１０６に対向する基準画像（パッチ）の色が認識可能となる。
【００６８】
前記基準色画像（パッチ）濃度演算部１２０で演算された濃度情報は、濃度調整制御部１１４へ送出され、この濃度調整制御部１１４において、現像剤の補給の是非、補給する場合の補給量等が算定されるようになっている。
【００６９】
算定結果は、補給量バッファ１２２の各色毎に設けられた蓄積部（Ｋ色現像剤補給量蓄積部１２２Ｋ、Ｃ色現像剤補給量蓄積部１２２Ｃ、Ｙ色現像剤補給量蓄積部１２２Ｙ、Ｍ色現像剤補給量蓄積部１２２Ｍ）にそれぞれ蓄積（補給量加算）されるようになっている。
【００７０】
前記補給実行要否判定部１１６は、前記画像形成処理状況監視部１１２から稼働情報を受け取り、現像剤の補給の要否を判定する。この補給実行要否判定部１１６での判定の結果において、現像剤の補給が必要と判定されると、補給量−補給単位換算部１２４に対して、換算実行指示を出力する。
【００７１】
補給量−補給単位換算部１２４は、補給量バッファ１２２に接続されており、前記換算実行指示があると、各色の蓄積部から補給量を読み出し、各色の補給単位数（１単位４００ｍｓｅｃの補給時間）を決定し、補給動作パターン計画構築部１２６へ送出する。
【００７２】
補給動作パターン計画構築部１２６では、入力された各色の補給単位数に基づいて、補給の開始又は停止、補給色の切替時期等の計画を構築する。例えば、本実施の形態では、図５（Ａ）に示されるように、各色３単位毎に切り替える動作パターンが構築される。
【００７３】
また、補給動作パターン計画構築部１２６は、前記画像形成処理状況監視部１１２から稼働情報を受けており、構築された補給動作パターンに基づいて、前記駆動制御対象選択部１１０に対して、逐次、補給開始、補給停止、補給色切り替えを指示する。この結果、モータ１０２は、画像形成部１４の画像形成処理状況に応じて駆動し、かつ正転、逆転を繰り返すことで、ジョブ実行中に分割されて現像剤が補給される。
【００７４】
このモータ１０２の駆動による現像剤補給に伴って、駆動制御対象選択部１１０では、現像剤の補給状況に応じて、前記補給量バッファ１２２の各蓄積部１２２Ｙ、１２２Ｃ、１２２Ｙ、１２２Ｍに蓄積されている補給量を減算する。
【００７５】
（補給継続）
ここで、本実施の形態の駆動制御対象選択部１１０には、補給動作パターン実行履歴記憶部１２８が接続されている。この補給動作パターン実行履歴記憶部１２８では、駆動制御対象選択部１１０によるモータ１０２の駆動制御における補給動作パターン実行履歴を随時記憶するようになっている（図６の符号Ｂ参照）。
【００７６】
補給動作パターン実行履歴記憶部１２８は、補給開始色決定部１３０に接続されている。この補給開始色決定部１３０には、補給動作パターン実行履歴記憶部１２８から補給停止時期情報が入力され、補給開始色決定部１３０では、この補給停止情報に基づいて、ジョブが終了したときに補給していた現像剤の色を判別し、次のジョブの開始時の色（補給開始色）を決定する。
【００７７】
補給開始色決定部１３０は、前記補給動作パターン計画構築部１２６に接続されている。このため、補給動作パターン計画構築部１２６では、構築される補給動作パターンに対して、補給開始色の情報が反映されることになる（図６の符号Ｃ参照）。
【００７８】
（補給制限）
また、補給動作パターン計画構築部１２６には、補給色切替可否判定部１３２が接続されている。この補給色切替可否判定部１３２は、基本の補給動作パターン（３単位毎の切替動作パターン）に対して、予め制限を設定し、当該制限に該当した場合には、基本の補給動作パターンによる補給動作を禁止するようになっている。
【００７９】
補給色切替可否判定部１３２には、制限情報記憶部１３４が接続されている。制限情報記憶部１３４には、以下の制限情報が記憶されている。
【００８０】
（制限情報１）各色の補給を開始する場合、補給量バッファ１２２の該当する補給対照の色の蓄積部１２２Ｙ、１２２Ｃ、１２２Ｙ、１２２Ｍの蓄積量が２単位未満のときは、該当色の補給を禁止する（図６の符号Ｄ１「条件不成立」、Ｄ２「条件成立」参照）。
【００８１】
（制限情報２）連続補給単位限度数として、５単位を超えて連続補給することを禁止する（図６の符号Ｅ参照）。
【００８２】
補給色切替可否判定部１３２には、前記補給動作パターン計画構築部１２６から切替時期に問い合わせ情報が入力され、その都度、前記制限情報記憶部１３４に記憶された制限情報１及び制限情報２と照合して、切替の可否を判定する。補給色切替可否判定部１３２の判定結果は、前記補給動作パターン計画構築部１２６に返信され、動作パターンに反映される。
【００８３】
以下に、本実施形態の作用を説明する。
【００８４】
まず、本実施形態に係る画像形成装置１０における、記録媒体Ｐへ画像を形成する画像形成動作について説明する。
【００８５】
本実施形態に係る画像形成装置１０では、収容部１２から送出ロール４６によって送り出された記録媒体Ｐが、複数の搬送ロール５０によって第２転写位置Ｔ２へ送り込まれる。
【００８６】
一方、画像形成ユニット２２Ｙ〜２２Ｋでは、帯電ロール２３によって帯電した感光体３２が、露光装置３６によって露光されて感光体３２に静電潜像が形成される。その静電潜像が現像装置３８によって現像されて感光体３２にトナー画像が形成される。画像形成ユニット２２Ｙ〜２２Ｋで形成された各色のトナー画像は、第１転写位置Ｔ１にて中間転写ベルト２４に重ねられて、カラー画像が形成される。そして、中間転写ベルト２４に形成されたカラー画像が、第２転写位置Ｔ２にて記録媒体Ｐへ転写される。
【００８７】
トナー画像が転写された記録媒体Ｐは、定着装置４０へ搬送され、転写されたトナー画像が定着装置４０により定着される。記録媒体Ｐの片面へのみ画像を形成する場合は、トナー画像が定着された後、記録媒体Ｐは排出ロール５２により排出部１８へ排出される。
【００８８】
記録媒体Ｐの両面へ画像を形成する場合には、片面に画像が形成された後、記録媒体Ｐは、排出ロール５２でスイッチバックされ、反転して反転搬送路３７へ送り込まれる。さらに、反転搬送路３７から再び第２転写位置Ｔ２へ送り込まれ、画像が記録されていない反対面に、上記と同様に画像が形成され、記録媒体Ｐの両面へ画像が形成され、排出ロール５２により排出部１８へ排出される。以上のように、一連の画像形成動作が行われる。
【００８９】
（現像剤の補給）
濃度調整制御によって現像剤の補給が必要となった場合、現像剤の必要な補給量を単位補給量に分割して、ジョブ中に補給を実行する。ジョブが終了すると、現像剤の補給を一旦停止して次のジョブの開始時に再開する。
【００９０】
この場合、図５（Ｂ）に示される如く、補給の再開時に、リセット・スタートすると、複数色（２色）の内、常に１番に設定した色から補給されるため、一方の色（１番に設定した色）の補給に偏る可能性がある。
【００９１】
そこで、本実施の形態では、次のジョブの実行による現像剤補給の再開時には、実行履歴情報に基づいて、現像剤の補給を再開する。
【００９２】
以下、図７のフローチャートに従い、現像剤補給制御の流れを説明する。
【００９３】
ステップ２００では、濃度調整時期か否かが判断される。このステップ２００で肯定判定される条件は、画像処理枚数がＡ４換算で３５枚を超えた後のジョブインタバル、或いは、累計の画像形成処理枚数がＡ４換算で１６０枚に到達したときの何れかである。
【００９４】
このステップ２００で否定判定されると、ステップ２０６へ移行する。ステップ２０６の処理については後述する。
【００９５】
また、ステップ２００で肯定判定されると、ステップ２０２へ移行して、濃度調整制御が実行される。この濃度調整制御の手順は以下のとおりである。
【００９６】
（手順１）  画像形成部１４に対して、中間転写ベルト２４に各色の基準色画像（パッチ）を形成するように指示する。
【００９７】
（手順２）  前記指示に応じて画像形成部１４では、中間転写ベルト２４の適宜位置に各色の基準色画像（パッチ）を形成する。
【００９８】
（手順３）  中間転写ベルトには、特定の位置で濃度センサ１０６が対峙しており、基準色画像（パッチ）の濃度を検出する。
【００９９】
（手順４）  濃度センサ１０６で検出した情報から、各基準色画像（パッチ）の濃度を演算し、現像剤の補給の是非、並びに補給する場合の補給量を演算する。
【０１００】
前記ステップ２０２での濃度調整制御が終了すると、ステップ２０４へ移行して、現像剤の補給が必要な場合に、補給量バッファ１２２の各蓄積部１２２Ｋ、１２２Ｃ、１２２Ｙ、１２２Ｍに加算する。なお、現像剤の補給が不要の場合は、加算値を「０」とすればよい。
【０１０１】
次のステップ２０６では、補給可能か否かが判断される。本実施の形態における現像剤の補給は、画像形成処理が実行中（ジョブ実行中）としているため、この補給可能か否かは、ジョブ実行中か否かという判定に置き換えてもよい。このステップ２０６で否定判定されると、ステップ２００へ戻り、上記肯定を繰り返す。
【０１０２】
また、ステップ２０６で肯定判定されると、ステップ２０８へ移行して新規補給か否かが判断される。このステップ２０８で肯定判定されると、ステップ２１０へ移行して補給動作パターンを構築して、ステップ２１４へ移行する。すなわち、現像剤の補給量を、画像形成処理速度（プロセススピード）に基づく単位補給量の単位数に換算すると共に、モータ１０２Ａ、１０２Ｂのそれぞれの正転、逆転の切り替え動作で、２色ずつ交互にＮ単位（本実施の形態では、３単位）ずつ補給する動作パターンを構築する。
【０１０３】
一方、ステップ２１０で否定判定された場合は、既に補給動作パターンは構築されており、前回のジョブからの継続であると判断し、ステップ２１２へ移行して、補給動作パターン実行履歴から、継続補給開始色を決定し、ステップ２１４へ移行する。
【０１０４】
ステップ２１４では、補給動作パターンに基づき、現像剤の補給を開始（再開）し、ステップ２１６へ移行する。
【０１０５】
ステップ２１６では、補給動作パターンの実行履歴の記憶を開始（再開）し、ステップ２１８へ移行する。なお、この実行履歴の記憶において、記憶容量に基づいて、古い履歴から順次削除するようにしてもよい。履歴の最優先情報は、現状での現像剤補給色である（第１情報）。また、次に優先順位が高い情報は、補給されている現像剤の補給単位数である（第２情報）。少なくとも、この第１情報及び第２情報が記憶されていればよい。
【０１０６】
ステップ２１８では、ジョブが終了したか否かが判断され、否定判定された場合はステップ２２０へ移行して補給が完了したか否かが判断される。このステップ２２０で否定判定された場合は、ステップ２１８へ戻り、ステップ２１８、２２０の何れかで肯定判定されるまで繰り返す。
【０１０７】
ここで、ステップ２１８で肯定判定、すなわち、補給完了前にジョブが終了したと判断されると、ステップ２２２へ移行して補給動作を一旦休止し、ステップ２０６へ戻り、次のジョブの開始を待つ。
【０１０８】
また、ステップ２２０で肯定判定、すなわち、現像剤の補給が完了したと判断されると、ステップ２２４へ移行して、補給動作パターンの実行履歴を消去して、このルーチンは終了する。
【０１０９】
（補給制限に基づく監視）
ここで、基本的には、現像剤の補給動作は、前述したように、２色の現像剤を３単位ずつ交互に補給する。しかし、以下の制限情報１、２に基づき、この基本パターンを変更するようにしている。この制限情報１，２の目的は、現像剤補給による急激な濃度変化の是正である。
【０１１０】
制限情報１は、図６の符号Ｄ１、Ｄ２に示すように、各色の補給を開始する場合、補給量バッファ１２２の該当する補給対照の色の蓄積部１２２Ｙ、１２２Ｃ、１２２Ｙ、１２２Ｍの蓄積量が２単位未満のときは、該当色の補給を禁止する。
【０１１１】
制限情報２は、図６の符号Ｅに示すように、連続補給単位限度数として、５単位を超えて連続補給することを禁止する。
【０１１２】
図８は、現像剤の補給動作中の補給監視制御の流れを示すフローチャートである。
【０１１３】
ステップ２５０では、補給対象色の切替時期か否かが判断される。すなわち、連続３単位分の補給が終了したか否かが判断され、肯定判定されるとステップ２５２へ移行する。なお、ステップ２５０で否定判定された場合は、現像剤の補給が継続するかぎり、ステップ２５０で肯定判定されるまで繰り返す。
【０１１４】
ステップ２５２では、切替後の現像剤の補給量は、２単位以上蓄積されているか否かが判断される。すなわち、切替後の現像剤において、制限情報１の条件が不成立であるか否かを判断する。
【０１１５】
このステップ２５２で肯定判定、すなわち、切替後の現像剤を対象とした制限情報１が不成立の場合は、ステップ２５４へ移行してモータ１０２の回転方向を反転し、次いでステップ２５６で駆動力切替機構部１０４の切替動作を実行し、ステップ２５０へ戻る。
【０１１６】
また、ステップ２５２で否定判定、すなわち、切替後の現像剤を対象として、制限情報１が成立した場合は、現像では補給はできないため、現像補給中の現像剤の補給を継続するべく、ステップ２５８へ移行する。
【０１１７】
ステップ２５８では、現在補給中の現像剤は、２単位以上蓄積されているか否かが判断される。すなわち、現時補給中の現像剤において、制限情報１の条件が不成立であるか否かを判断する。
【０１１８】
このステップ２５８で肯定判定、すなわち、現在補給中の現像剤を対象とした制限情報１が不成立の場合は、ステップ２６０へ移行する。また、ステップ２５８で否定判定、すなわち、現像補給中の現像剤を対象として制限情報１が成立した場合は、何れの現像剤も補給不可であるため、ステップ２６２へ移行して、現像剤の補給を強制中止することを指示し、このルーチンは終了する。
【０１１９】
また、ステップ２６０では、現在補給中の現像剤は、連続５単位目か否かが判断される。すなわち、制限情報２の条件が不成立であるか否かを判断する。
【０１２０】
このステップ２６０で否定判定、すなわち、連続補給が５単位目ではないと判断されると、ステップ２６６へ移行して、現像補給中の現像剤の補給を継続し、ステップ２５０へ戻る。
【０１２１】
一方、ステップ２６０で肯定判定、すなわち、連続補給が５単位目であると判断されると、ステップ２６４へ移行して、１単位に相当する時間分の補給休止を実行した後に、ステップ２６６へ移行する。
【０１２２】
なお、図５及び図６では、第１のモータ１０２Ａに対応する色（すなわち、Ｋ色とＣ色）について説明したが、Ｋ色をＹ色に置き換え、かつＣ色をＭ色に置き換えることによって、第２のモータ１０２Ｂに対応する色（すなわち、Ｙ色とＭ色）についても同様の制御が実行される。
【０１２３】
なお、本実施の形態では、現像剤収容容器６０にはそれぞれ異なった色の現像剤が収容されていたが、複数の現像剤収容容器６０に同じ色の現像剤を収容しても構わない。
【符号の説明】
【０１２４】
１０    画像形成装置
１１    画像形成装置本体
１２    収容部
１４    画像形成部（ＩＯＴ）
１６    搬送部
１８    排出部
２０    画像形成制御部２０（ＭＣＵ）
２２Ｙ、２２Ｍ、２２Ｃ、２２Ｋ    画像形成ユニット
２４    中間転写ベルト
２６    第１転写ロール
２８    第２転写ロール
２３    帯電ロール
３２    感光体
３６    露光装置
３７    反転搬送路
３８    現像装置
３８Ａ    筐体
３８Ｂ    現像剤供給体
３８Ｃ    搬送部材
４０    定着装置
４２、４３、４４、４５    巻掛ロール
４６    送出ロール
４８    搬送路
５０    搬送ロール
５２    排出ロール
５８    搬送管
５６    開閉部
６０    現像剤収容容器（トナーカートリッジ）
８０    装着部
１０２Ａ（１０２）    第１のモータ
１０２Ｂ（１０２）    第２のモータ
１０４    駆動力切替機構部
１００Ｋ（１００）    Ｋ色用の搬送機構部
１００Ｃ（１００）    Ｃ色用の搬送機構部
１００Ｙ（１００）    Ｙ色用の搬送機構部
１００Ｍ（１００）    Ｍ色用の搬送機構部
１０８Ａ、１０８Ｂ    駆動ドライバ
１１０    駆動制御対象選択部
１１２    画像形成処理状況監視部
１１４    濃度調整制御部
１１６    補給実行可否判定部
１１８    基準色画像（パッチ）形成指示部
１２０    基準色画像（パッチ）濃度演算部
１２２    補給量バッファ
１２２Ｋ    Ｋ色現像剤補給量蓄積部
１２２Ｃ    Ｃ色現像剤補給量蓄積部
１２２Ｙ    Ｙ色現像剤補給量蓄積部
１２２Ｍ    Ｍ色現像剤補給量蓄積部
１２４    補給量−補給単位換算部
１２６    補給動作パターン計画構築部
１２８    補給動作パターン実行履歴記憶部
１３０    補給開始色決定部
１３２    補給色切替可否判定部
１３４    制限情報記憶部
Ｐ    記録媒体
Ｔ１    第１転写位置
Ｔ２    第２転写位置
【図１】
2013228614.tif 000003
【図２】
2013228614.tif 000004
【図３】
2013228614.tif 000005
【図４】
2013228614.tif 000006
【図５】
2013228614.tif 000007
【図６】
2013228614.tif 000008
【図７】
2013228614.tif 000009
【図８】
2013228614.tif 000010